(57)【要約】【課題】電気機器が、ネットワークに接続するための設定情報を容易に取得することのできる通信システムを提供する。【解決手段】通信システムは、ネットワークとの通信を中継するルータ（２）と、ルータ（２）からネットワークに接続するための設定情報を受信するスマートフォン（３）と、スマートフォン（３）からの設定情報に従いルータ（２）を介し上記のネットワーク経由で通信する加熱調理器（１）と、を備える。【選択図】図１
2014127739.tif 000002
【特許請求の範囲】
【請求項１】
ネットワークとの通信を中継する第１通信端末と、
前記第１通信端末から前記ネットワークに接続するための設定情報を受信する第２通信端末と、
前記第２通信端末からの前記設定情報に従い前記第１通信端末を介し前記ネットワーク経由で通信する電気機器と、を備える、通信システム。
【請求項２】
前記第２通信端末は、前記ネットワークとは異なる第１無線通信路により前記第１通信端末から前記設定情報を受信し、
前記電気機器は、前記ネットワークとは異なる第２無線通信路により前記第１通信端末と通信し、
前記第１無線通信路は、前記第２無線通信路よりも近距離の無線通信路である、請求項１に記載の通信システム。
【請求項３】
前記第２通信端末は、移動体端末である、請求項１または２に記載の通信システム。
【請求項４】
前記設定情報は、暗号化方式を特定する情報を含む、請求項１から３のいずれかに記載の通信システム。
【請求項５】
前記暗号化方式は、前記電気機器の機種に対応の暗号化方式を示す、請求項４に記載の通信システム。
【発明の詳細な説明】
【技術分野】
【０００１】
この発明は通信システムに関し、特に、無線通信機能を有する電気機器を備える通信システムに関する。
【背景技術】
【０００２】
無線ＬＡＮ（Local Area Network）に無線端末を接続設定するための方法として、特許文献１（特開２０１１−２０５４８５号公報）では、撮影した画像パターンを利用して無線通信機器を簡単な操作で設定登録する方法が記載され、また、特許文献２（特開２００５−６５０１８号公報）では、無線端末を無線ＬＡＮに接続するために、無線端末は設定情報配布サーバから設定情報を受信し、受信情報に基づき無線ＬＡＮのアクセスポイントと通信して、アクセスポイントから接続承認信号を受信する。
【０００３】
また、より簡単な方法として手動操作によるものがある。たとえば、Ｗｉ-Ｆｉ（登録商標）通信など無線通信に関し、ＡＯＳＳ（AirStation One-Touch Secure System：登録商標）またはＷＰＳ（Wi-Fi Protected Setup：登録商標）に従えば、無線ルータなどの無線ＬＡＮ端末とユーザの通信端末との間でユーザがお互いの機器のボタンを押すだけで、相互に通信を開始し、接続設定やセキュリティ設定を簡単に行うことができる。
【先行技術文献】
【特許文献】
【０００４】
【特許文献１】特開２０１１−２０５４８５号公報
【特許文献２】特開２００５−６５０１８号公報
【発明の概要】
【発明が解決しようとする課題】
【０００５】
しかしながら、ＡＯＳＳまたはＷＰＳのような簡単設定では、情報漏えいを防止するというセキュリティの制限から、ユーザは通常使用時よりも通信端末を無線ルータに近付けて（たとえば１ｍ〜２ｍ程度に近づけて）設定操作を行う必要がある。その一方で、無線ＬＡＮに接続する通信端末の機能を、据え置き型の電気機器、たとえば加熱調理機器、冷蔵庫、エアコンディショナといった家電などの電気機器に搭載して、電気機器に、無線通信を経由して外部サーバと通信させ、各種情報を取得して電気機器が有する機能に多様性をもたせたいとの要望がある。
【０００６】
しかしながら、このような家電などの電気機器は、一般的に大型であることから据え置きで使用される場合が多く、ＡＯＳＳまたはＷＰＳのように無線ルータに接近して通信することでデータ設定が可能となる環境では、接続設定することが困難であった。
【０００７】
それゆえに、本発明の目的は、電気機器が、ネットワークに接続するための設定情報を容易に取得することのできる通信システムを提供することである。
【課題を解決するための手段】
【０００８】
この発明のある局面に係る通信システムは、ネットワークとの通信を中継する第１通信端末と、第１通信端末からネットワークに接続するための設定情報を受信する第２通信端末と、第２通信端末からの設定情報に従い第１通信端末を介しネットワーク経由で通信する電気機器と、を備える。
【発明の効果】
【０００９】
この発明によれば、ネットワークを介し通信するための設定情報を、ネットワーク通信中継の第１通信端末から受信するところ、電気機器は、第１通信端末と通信することなく第２通信端末から入力することができる。これにより、電気機器が第１通信端末と通信できない状況にある場合でも、第２通信端末を用いることで容易に当該設定情報を取得することができる。
【図面の簡単な説明】
【００１０】
【図１】本発明の実施の形態に係る通信システムの概略構成図である。
【図２】本発明の実施の形態に係る加熱調理器の正面図である。
【図３】本発明の実施の形態に係る加熱調理器のブロック図である。
【図４】本発明の実施の形態に係るスマートフォンの構成図である。
【図５】本発明の実施の形態に係るルータの構成図である。
【図６】本発明の実施の形態に係る通信シーケンス図である。
【発明を実施するための形態】
【００１１】
以下、この発明の実施の形態について図面を参照して詳しく説明する。なお、同一または相当する部分には同一の参照符号を付して、その説明を繰返さない。本実施の形態では、外部のネットワーク（たとえば、無線ネットワーク）に接続するための設定情報を取得する電気機器として、位置固定の高周波加熱による加熱調理器を例示するが、適用される電気機器はこれに限定されない。
【００１２】
[システム構成]
図１を参照して、本実施の形態に係る通信システムは、加熱調理器１、Ｗｉ-Ｆｉに従い無線ＬＡＮなどの外部ネットワーク（図示せず）との通信を中継する第１通信端末に対応するＷｉ-Ｆｉルータ（以下、単にルータという）２、およびルータ２から外部ネットワークに接続するための設定情報を受信する第２通信端末に相当するスマートフォン３を備える。ルータ２は、無線ＬＡＮなど外部ネットワーク上の端末・サーバなど（図示しない）とスマートフォン３または加熱調理器１とを通信接続するための中継器であるアクセスポイントに相当する。
【００１３】
ルータ２と加熱調理器１とスマートフォン３との間は、無線により通信する。スマートフォン３がルータ２から設定情報を受信するための無線通信路の通信可能距離は、当該設定情報を用いて加熱調理器１とルータ２が無線通信するための無線通信路のそれよりも短い。
【００１４】
スマートフォン３が、ルータ２から受信する設定情報には、ルータ２が端末（スマートフォン３または加熱調理器１）を外部ネットワークへ接続するときの認証情報およびセキュリティ情報が含まれる。設定情報には、ＳＳＩＤ（Service Set Identifier）、暗号化方式、パスワード（暗号化キー）などを含む。
【００１５】
ここでは、第２通信端末として移動体端末である携帯型のスマートフォン３を適用するが、移動体端末はスマートフォン３に限定されず、タブレット端末、携帯型電話機などであってもよい。
【００１６】
［加熱調理器の構成］
図２は、本発明の実施の形態に係る加熱調理器１の正面図である。図３には、加熱調理器１のブロック構成が示される。
【００１７】
図２を参照して、加熱調理器１のキャビネット２Ａ内部には、前面が開口した加熱室（図示せず）が設けられる。加熱室の前面開口には扉１６が回動可能に取り付けられる。扉１６には、加熱室の内部を目視可能なように窓ガラス１５Ａが取り付けられる。
【００１８】
扉１６において、窓ガラス１５Ａの右側にはタッチパネル２２Ａと複数キーが配置されたキー操作部２３とが設けられる。タッチパネル２２Ａは、調理方法を選択するためのメニューなどを含む情報を表示する表示部として用いられるとともに、メニューを選択するなど指示を入力するための入力部として用いられる。窓ガラス１５Ａの右側には、無線通信の信号を送受信可能なように通信部２５と２６が配置される。また、キャビネット２Ａの背面側には排気口１７Ａが設けられ。被加熱物の加熱調理時に加熱室から排出された排気ガスは、排気口１７Ａから排気される。
【００１９】
図３を参照して、加熱調理器１は、制御回路５、および制御回路５に接続される構成要素を備える。構成要素には、タッチパネル２２Ａ、キー操作部２３、扉１６の開閉を検出する開閉検出器２４、アンテナを有し無線通信するための通信部２５、赤外線通信のための通信部２６、マグネトロン３１、ブザー・スピーカなどからなり音声を出力するための音声出力部３２、図示しない各種センサを冷却するためのセンサ冷却ファン３７、マグネトロン３１を冷却するためのマグネトロン冷却ファン３８、および外気を加熱室内に供給するための給気ファン３９を含む。さらに、ＳＤカード（Secure Digital memory card）などの外部の記憶媒体３４が着脱自在に装着されて、装着された記憶媒体３４にデータの読み書きを行う外部Ｉ／Ｆ（Interfaceの略）３３を含む。
【００２０】
制御回路５は、マイクロコンピュータをベースに構成され、ＣＰＵ（Central  Processing  Unit）６、メモリ７、およびタイマ８などを含む。メモリ７は、揮発性または不揮発性のメモリからなり、各種プログラムおよびスマートフォン３を介して取得する設定情報ＴＢを含む各種データを格納する。
【００２１】
ＣＰＵ６は、加熱調理器１に対するユーザ操作内容を受付けるための操作受付部を有する。ユーザ操作は、タッチパネル２２Ａのユーザ操作と、キー操作部２３のユーザ操作とを含む。受付けられた操作内容は、ＣＰＵ６により解釈（エンコード）されて、解釈により得られた制御コードに従って加熱シーケンスなどを含む所定処理が実行される。なお、ＣＰＵ６がタッチパネル２２Ａからの操作内容を入力して解釈する際には、音声出力部３２から音声を出力させる。ユーザは、出力音声によって操作内容が受付けられたことを確認する。
【００２２】
[スマートフォンとルータの構成]
図４を参照して、スマートフォン３は、ＣＰＵ（Central  Processing  Unitの略）１１、ＨＤＤ（Hard  Disc  Driveの略）、ＳＳＤ（Solid  State  Driveの略）、フラッシュメモリ、ＲＡＭ（Random  Access  Memoryの略）などの永続的な記憶を行う記憶媒体に加え、ＤＲＡＭ（Dynamic  Random  Access  Memoryの略）などの一時的なワークメモリとして利用する記憶媒体を含む記憶部１２、画像を表示するための表示部１３、ユーザにより操作されるボタン、キーなどを含む操作部１４、図示しない外部ネットワークを介した通信のための通信部１５、外部Ｉ／Ｆ（Interfaceの略）１６、無線通信としての赤外線通信のためのＩＲ（InfraRed）通信部１９、およびスピーカなどからなる音声出力部２０、マイクロフォンなどの音声入力部２１およびカメラの撮像部２２を備える。表示部１３と操作部１４は、タッチパネル１８を構成する。記憶部１２には無線通信のためのプログラムなど各種プログラムが予め格納されている。
【００２３】
上記のスマートフォン３の構成は一例であり、撮像部２２などを備えない構成であっても本実施の形態に適用することができる。
【００２４】
操作部１４は、キー，ボタンなどを有し、キー，ボタンなどのユーザ操作を検出し、検出した結果をＣＰＵ１１に出力する。
【００２５】
外部Ｉ／Ｆ１６は、外部から着脱自在に記憶媒体１７が装着され、装着された記憶媒体１７にデータを読み書きする。記憶媒体１７はＳＤカードなど各種の記憶媒体を適用することができる。
【００２６】
通信部１５は、有線／無線通信回線、携帯電話回線などの各種通信回線を経由した通信機能を有する。
【００２７】
図５は、本実施の形態に係るルータ２のブロック図である。図５を参照して、ルータ２は、ＣＰＵ４１、ＨＤＤ、ＳＳＤ、フラッシュメモリ、ＲＡＭなどからなる記憶部４２、ＬＣＤ，ＬＥＤ（Light Emitting Diode）などからなる表示部４３、ボタン，キーなどからなる操作部４４、および通信部４５を備える。通信部４５は、外部のネットワークを介して外部サーバなどと通信する機能およびスマートフォン３，加熱調理器１と通信する機能を有する。
【００２８】
[通信シーケンス]
図６を参照して、本実施の形態に係る通信シーケンスを説明する。まず、スマートフォン３の記憶部１２には、ルータ２を介した通信接続の設定情報を取得するための専用アプリケーションプログラムが、予めインストールされていると想定する。
【００２９】
まず、ユーザがスマートフォン３をルータ２に接近させた状態でスマートフォン３の操作部１４を操作すると（ステップＳ１）、ＣＰＵ１１は操作内容に従って専用アプリケーションプログラムを起動する（ステップＳ３）。専用アプリケーションプログラムが起動すると、Ｗｉ-Ｆｉのアクセスポイント（すなわちルータ２）接続に必要な設定画面が表示部１３に表示される。ユーザが、画面に表示されるガイダンスに従い、操作部１４のＡＯＳＳまたはＷＰＳ等のための所定ボタンを操作すると、ＣＰＵ１１は操作内容を受付けて（ステップＳ９）、通信部１５を介し、設定情報の問合わせをルータ２に送信する（ステップＳ１５）。このとき、ユーザはルータ２の操作部４４の所定ボタンを操作し、ＣＰＵ４１は操作部４４の操作内容を受付けて、記憶部４２のＡＯＳＳまたはＷＰＳ等のためのプログラムを起動する。
【００３０】
ルータ２のＣＰＵ４１は、起動したプログラムに従って、通信部４５を介しスマートフォン３からの問合せを受信すると、記憶部４２から設定情報を検索し（ステップＳ１７）、応答として当該設定情報を通信部４５を介しスマートフォン３に送信する（ステップＳ１９）。スマートフォン３のＣＰＵ１１は、通信部１５を介し応答を受信し、記憶部１２に格納する。
【００３１】
ＡＯＳＳまたはＷＰＳ等のためのプログラム実行が終了し、設定情報が記憶部１２に格納完了した後、ユーザは、スマートフォン３を携帯し、加熱調理器１と通信可能な位置にまで移動する。そして、操作部１４を所定操作すると、ＣＰＵ１１は操作内容を受付けて、受付けた操作内容に従い、記憶部１２から設定情報を読出し、ＩＲ通信部１９を介して加熱調理器１に送信する（ステップＳ２１）。なお、設定情報の送信は、ＩＲ通信部１９による赤外線通信に限定されず、NFC(近距離無線通信)、Bluetooth（登録商標）等の他の近距離無線通信方式に従い送信するとしてもよい。
【００３２】
加熱調理器１のＣＰＵ６は、通信部２６を介しスマートフォン３から設定情報を受信すると、受信した設定情報を、設定情報ＴＢとしてメモリ７に格納する。
【００３３】
その後、加熱調理器１側で、図示しない外部サーバから情報（たとえばメニュー情報、加熱シーケンスなどの加熱調理情報など）をダウンロードする場合には、ＣＰＵ６は設定情報ＴＢに従いルータ２と通信し、ルータ２を経由して外部サーバと通信し、情報を受信する。
【００３４】
本実施の形態によれば、加熱調理器１などのように、Ｗｉ-Ｆｉ通信機能を有しているが、体積や重量が大きすぎてルータ２近くに移動させることができず、それゆえにＡＯＳＳまたはＷＰＳによる自動設定が困難な電気機器は、自らがルータ２から設定情報を受信するのに代替して、スマートフォン３等の移動可能なＷｉ-Ｆｉ通信機能搭載の端末に設定情報受信を代理で行わせ、代理で取得された設定情報をスマートフォン３から受理して利用する。このような代理設定により、Ｗｉ−Ｆｉ通信の接続設定のためにルータ２の近くに加熱調理器１本体を移動させる必要もなく、また加熱調理器１側に設定を行うための複雑なＵＩ（UserInterface）画面を設ける必要もない。
【００３５】
（変形例）
図６では、ボタン操作によるＡＯＳＳまたはＷＰＳ等の自動設定を説明したが、手動でＳＳＩＤの選択や入力、暗号化方式の選択、パスワード（暗号化キー）、その他ネットワークに関する情報設定を行うとしてもよい。
【００３６】
手動で行う場合には、加熱調理器１に適した暗号強度の暗号化方式を選択するようにしてもよい。たとえば、加熱調理器１に関し機種毎に暗号化方式を異ならせている場合には、スマートフォン３の専用アプリケーションプログラムは、加熱調理器１と通信することにより、加熱調理器１から当該機種に合致した暗号化方式を特定するデータを受信する。受信後、スマートフォン３はルータ２と通信し、加熱調理器１の暗号化方式を特定するデータをルータ２宛てに送信する。ルータ２は、スマートフォン３から暗号化方式を特定するデータを受信すると、当該暗号化方式に従うビット長のパスワード（暗号化キー）を決定し、決定したパスワード（暗号化キー）含む設定情報をスマートフォン３に送信する。スマートフォン３はルータ２からの設定情報を、加熱調理器１に送信する。これにより、加熱調理器１には設定情報ＴＢが格納される。以降、加熱調理器１は、設定情報ＴＢに従いルータ２を経由し外部ネットワークにアクセスし、外部サーバなどと当該機種に適合した暗号化方式に従い通信する。
【００３７】
また、スマートフォン３は、ルータ２から受信した設定情報を、近距離通信により加熱調理器１に送信するとしたが、設定情報を加熱調理器１に供給する方法は、通信に限定されない。たとえば、記憶媒体１７（３４）を利用して、スマートフォン３から加熱調理器１に転送するようにしてもよい。
【００３８】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００３９】
１  加熱調理器、５  制御回路、６  ＣＰＵ、７  メモリ、８  タイマ、２２Ａ  タッチパネル、ＴＢ  設定情報。
【図１】
2014127739.tif 000003
【図２】
2014127739.tif 000004
【図３】
2014127739.tif 000005
【図４】
2014127739.tif 000006
【図５】
2014127739.tif 000007
【図６】
2014127739.tif 000008